(57)【要約】【課題】  レドックスフロー電池のモジュール間で一括して電解液の均一化を図る。【解決手段】  正極電解液タンクＡ１と、負極電解液タンクＡ２と、電池セルＡ３と、正極電解液を正極電解液タンクＡ１から電池セルＡ３へ送る正極往路配管Ａ４及び電池セルＡ３から正極電解液タンクＡ１へ送る正極復路配管Ａ５と、負極電解液を負極電解液タンクＡ２から電池セルＡ３へ送る負極往路配管Ａ６及び電池セルＡ３から負極電解液タンクＡ２へ送る負極復路配管Ａ７とを含むモジュールＡを、２つ以上備えたレドックスフロー電池１であって、同一モジュール内の正極電解液タンクＡ１と負極電解液タンクＡ２とを接続する内部配管と、異なるモジュール間の正極電解液タンクＡ１、Ｂ１と負極電解液タンクＡ２、Ｂ２とを接続する外部配管Ｃとを備えたレドックスフロー電池とする。【選択図】  図１
2006073471.tif 000002
【特許請求の範囲】
【請求項１】
正極電解液タンクと、負極電解液タンクと、電池セルと、
正極電解液を前記正極電解液タンクから前記電池セルへ送る正極往路配管及び前記電池セルから前記正極電解液タンクへ送る正極復路配管と、
負極電解液を前記負極電解液タンクから前記電池セルへ送る負極往路配管及び前記電池セルから前記負極電解液タンクへ送る負極復路配管とを含むモジュールを、２つ以上備えたレドックスフロー電池であって、
同一モジュール内の前記正極電解液タンクと前記負極電解液タンクとを接続する内部配管と、
異なるモジュール間の前記正極電解液タンクと前記負極電解液タンクとを接続する外部配管とを備えたことを特徴とするレドックスフロー電池。
【請求項２】
前記内部配管は、前記正極往路配管上にある中継点と、前記負極復路配管上にある中継点とを接続した配管、及び、前記負極往路配管上にある中継点と、前記正極復路配管上にある中継点とを接続した配管を含み、
前記外部配管は、前記正極電解液タンクと連通する正極往路配管上にある中継点と、前記負極電解液タンクと連通する負極復路配管上にある中継点とを接続した配管を含む請求項１に記載のレドックスフロー電池。
【請求項３】
前記外部配管は、前記正極往路配管上にある中継点と、前記負極復路配管上にある中継点との間に、取り外し可能なモジュール接続配管と、バルブとを含む請求項２に記載のレドックスフロー電池。
【請求項４】
前記正極往路配管、前記正極復路配管、前記負極往路配管、及び前記負極復路配管は、それぞれバルブを備える請求項２に記載のレドックスフロー電池。
【請求項５】
前記正極往路配管及び前記負極往路配管は、それぞれポンプを備える請求項１又は２に記載のレドックスフロー電池。
【請求項６】
前記正極電解液タンク及び前記負極電解液タンクは、硫酸バナジウム水溶液を含む請求項１又は２に記載のレドックスフロー電池。
【請求項７】
正極電解液を貯蔵した正極電解液タンクと、負極電解液を貯蔵した負極電解液タンクと、電池セルと、
前記正極電解液を前記正極電解液タンクから前記電池セルへ送る正極往路配管及び前記電池セルから前記正極電解液タンクへ送る正極復路配管と、
前記負極電解液を前記負極電解液タンクから前記電池セルへ送る負極往路配管及び前記電池セルから前記負極電解液タンクへ送る負極復路配管とを含むモジュールを、２つ以上備えたレドックスフロー電池の運転方法であって、
同一モジュール内の前記正極電解液タンクと前記負極電解液タンクとを接続する内部配管と、異なるモジュール間の前記正極電解液タンクと前記負極電解液タンクとを接続する外部配管とを用いて、異なるモジュール間の前記正極電解液と前記負極電解液とを混合することを特徴とするレドックスフロー電池の運転方法。
【請求項８】
前記内部配管は、前記正極電解液タンクと、前記正極往路配管上にある中継点と、前記負極復路配管上にある中継点と、前記負極電解液タンクとを接続した配管、及び、前記負極電解液タンクと、前記負極往路配管上にある中継点と、前記正極復路配管上にある中継点と、前記正極電解液タンクとを接続した配管を含み、
前記外部配管は、前記正極電解液タンクと連通する正極往路配管上にある中継点と、前記負極電解液タンクと連通する負極復路配管上にある中継点とを接続した配管を含む請求項７に記載のレドックスフロー電池の運転方法。
【請求項９】
前記正極電解液と前記負極電解液との混合は、前記正極往路配管、前記正極復路配管、前記負極往路配管、及び前記負極復路配管にそれぞれ設けたバルブを閉めて行う請求項７に記載のレドックスフロー電池の運転方法。
【請求項１０】
前記正極電解液及び前記負極電解液は、ポンプを用いて前記内部配管内と前記外部配管内を移動する請求項７に記載のレドックスフロー電池の運転方法。
【発明の詳細な説明】
【技術分野】
【０００１】
本発明は、負荷平準化用途や瞬低・停電対策用途に用いられるレドックスフロー電池及びその運転方法に関する。
【背景技術】
【０００２】
わが国の電力需要の伸びは、年とともに増大し続けているが、電力需要の変動も年々著しくなる傾向にある。例えば、夏季における昼間の電力需要量は、明け方のそれにくらべて３倍以上となっているのが現状である。一方、電力の供給源からみると、出力変動が望ましくない原子力発電や、大規模火力発電の割合も増加する傾向にあるため、電力を貯蔵する設備の必要性が高まっている。
【０００３】
現在の電力貯蔵は、揚水発電によって行われているが、その立地に限度があることから、新しい電力貯蔵技術、中でも、技術的、経済的に実現の可能性が高いとされている電力貯蔵用二次電池が盛んに研究されている。この中でも、レドックスフロー電池が注目されている。
【０００４】
特に、バナジウムレドックスフロー電池は、起電力が高く、エネルギー密度が大きく、電解液が単一元素系であるため、正極電解液と負極電解液とが混合しても、充電によって再生することができるという多くの利点を有している。
【０００５】
図３は、従来のバナジウムレドックスフロー電池の概要図である。図３において、レドックスフロー電池３１は、電池セル３２、正極電解液タンク３３、及び負極電解液タンク３４を備えている。電池セル３２内は、イオン交換膜などからなる隔壁３５により仕切られており、一方側が正極セル３２ａ、他方側が負極セル３２ｂを構成する。正極セル３２ａ内には正極３６が収容され、また、負極セル３２ｂ内には負極３７が収容される。
【０００６】
正極セル３２ａと正極電解液タンク３３とは、正極往路配管３８と正極復路配管３９とで結ばれている。また、負極セル３２ｂと負極電解液タンク３４とは、負極往路配管４０と負極復路配管４１とで結ばれている。正極往路配管３８内には、ポンプ４２が設けられており、負極往路配管４０内には、ポンプ４３が設けられている。
【０００７】
正極電解液タンク３３内には、Ｖ5+／Ｖ4+イオンを含む硫酸水溶液からなる正極電解液が蓄えられており、また、負極電解液タンク３４内には、Ｖ2+／Ｖ3+イオンを含む硫酸水溶液からなる負極電解液が蓄えられている。
【０００８】
レドックスフロー電池３１の放電時には、正極電解液タンク３３に蓄えられたＶ5+／Ｖ4+イオンを含む硫酸水溶液は、ポンプ４２により正極３６に送られ、その正極３６において外部回路から電子を受け取り、Ｖ5+がＶ4+に還元され、正極電解液タンク３３に回収される。一方、負極電解液タンク３４に蓄えられたＶ2+／Ｖ3+イオンを含む硫酸水溶液は、ポンプ４３によって負極３７に送られ、その負極３７において外部回路に電子を放出してＶ2+がＶ3+に酸化され、負極電解液タンク３４に回収される。また、充電時には、上記の逆の操作及び反応が行われる。
【０００９】
一般にレドックスフロー電池は、放電時おいては、正極電解液中のＶ4+イオンの量と負極電解液中のＶ3+イオンの量とが同量の時に、また、充電時においては、正極電解液中のＶ5+イオンの量と負極電解液中のＶ2+イオンの量とが同量の時に、最も効率良く作動する。しかし、充放電の繰り返しに伴い、上記酸化還元対の一方のイオンの量が減少して、電解液のバランスが崩れる場合がある。従来、このような場合には、不足したイオンを含む電解液を外部から補充する方法が採用されていた（例えば、特許文献１参照。）。また、他の方法としては、正極電解液と負極電解液とを混合して電解液を均一化する方法も採用されていた（例えば、特許文献２参照。）。
【特許文献１】特開２０００−３０７２１号公報
【特許文献２】特開２００３−３０３６１１号公報
【発明の開示】
【発明が解決しようとする課題】
【００１０】
レドックスフロー電池は、通常、正極電解液タンクと、負極電解液タンクと、複数の単電池を含む電池セルからなるモジュールとして構成される。最近では、レドックスフロー電池の出力規模が増加する傾向にあり、例えばその出力規模が２００ｋＷ級になると、通常このモジュールを２つ以上組み合わせて使用される。
【００１１】
複数のモジュールを備えたレドックスフロー電池において前述の電解液のバランスが崩れた場合に、特許文献１に記載されているように、不足したイオンを含む電解液を外部から補充する方法では、モジュールごとに電解液のバランスの復元操作を行わなくてはならず、電解液のバランスの復元までに長時間を要する問題があった。また、特許文献２に記載されているように、正極電解液と負極電解液とを混合して電解液を均一化する方法では、モジュール内での混合は可能であるが、モジュール間には電解液連絡配管は一切設けられていないため、モジュール間での電解液の混合は困難であった。
【００１２】
そこで、本発明は上記問題点を解決したもので、レドックスフロー電池全体で一括して電解液の均一化を図る簡便な手段を提供するものである。
【課題を解決するための手段】
【００１３】
本発明は、正極電解液タンクと、負極電解液タンクと、電池セルと、正極電解液を前記正極電解液タンクから前記電池セルへ送る正極往路配管及び前記電池セルから前記正極電解液タンクへ送る正極復路配管と、負極電解液を前記負極電解液タンクから前記電池セルへ送る負極往路配管及び前記電池セルから前記負極電解液タンクへ送る負極復路配管とを含むモジュールを、２つ以上備えたレドックスフロー電池であって、同一モジュール内の前記正極電解液タンクと前記負極電解液タンクとを接続する内部配管と、異なるモジュール間の前記正極電解液タンクと前記負極電解液タンクとを接続する外部配管とを備えたことを特徴とする。
【００１４】
また、本発明は、正極電解液を貯蔵した正極電解液タンクと、負極電解液を貯蔵した負極電解液タンクと、電池セルと、前記正極電解液を前記正極電解液タンクから前記電池セルへ送る正極往路配管及び前記電池セルから前記正極電解液タンクへ送る正極復路配管と、前記負極電解液を前記負極電解液タンクから前記電池セルへ送る負極往路配管及び前記電池セルから前記負極電解液タンクへ送る負極復路配管とを含むモジュールを、２つ以上備えたレドックスフロー電池の運転方法であって、同一モジュール内の前記正極電解液タンクと前記負極電解液タンクとを接続する内部配管と、異なるモジュール間の前記正極電解液タンクと前記負極電解液タンクとを接続する外部配管とを用いて、異なるモジュール間の前記正極電解液と前記負極電解液とを混合することを特徴とする。
【発明の効果】
【００１５】
本発明は、異なるモジュール間の正極電解液タンクと負極電解液タンクとを接続する外部配管を設けることにより、レドックスフロー電池のモジュール間で一括して電解液の均一化を図ることができる。
【発明を実施するための最良の形態】
【００１６】
前述のように、従来はモジュール間には電解液連絡配管は一切設けられていなかったので、モジュール間での電解液の混合は困難であったが、本発明では、従来のモジュールの内部配管を利用するとともに、モジュール間に取り外し可能な外部配管を設けることにより、モジュール間での電解液の混合を容易にしたものである。これにより、モジュール間で電解液のバランスが崩れた場合に、容易に電解液のバランスの回復を図ることができる。また、レドックスフロー電池の充放電に伴いモジュール間に電圧差が生じた場合でも、モジュール間の電解液を混合することにより、容易に電圧差を解消できる。さらに、モジュール間の電解液に温度差が生じると放電性能が低下するが、そのような場合でも、モジュール間の電解液を混合することにより、容易に温度差を解消できる。
【００１７】
以下、本発明の実施の形態を図面に基づき説明する。
【００１８】
＜レドックスフロー電池の実施の形態＞
図１は、本発明のレドックスフロー電池の配管の一例を示す概略図である。図１において、レドックスフロー電池１のモジュールＡは、Ｖ5+／Ｖ4+イオンを含む硫酸バナジウム水溶液からなる正極電解液を貯蔵した正極電解液タンクＡ１と、Ｖ2+／Ｖ3+イオンを含む硫酸バナジウム水溶液からなる負極電解液を貯蔵した負極電解液タンクＡ２と、複数の単電池を積層して構成した電池セルＡ３とを備えている。また、モジュールＡは、上記正極電解液を正極電解液タンクＡ１から電池セルＡ３へ送る正極往路配管Ａ４及び電池セルＡ３から正極電解液タンクＡ１へ送る正極復路配管Ａ５と、上記負極電解液を負極電解液タンクＡ２から電池セルＡ３へ送る負極往路配管Ａ６及び電池セルＡ３から負極電解液タンクＡ２へ送る負極復路配管Ａ７とを備えている。さらに、正極往路配管Ａ４及び負極往路配管Ａ６には、それぞれポンプＡ８ａ及びＡ８ｂが設けられ、これにより上記正極電解液及び上記負極電解液はモジュールＡ内を移動することができる。
【００１９】
また、モジュールＡは、正極電解液タンクＡ１と負極電解液タンクＡ２とを接続する内部配管を備えている。内部配管は、正極往路配管Ａ４上にある中継点Ａ９と、負極復路配管Ａ７上にある中継点Ａ１０とを接続した連絡配管Ａ１１、Ａ１２、及び、負極往路配管Ａ６上にある中継点Ａ１３と、正極復路配管Ａ５上にある中継点Ａ１４とを接続した連絡配管Ａ１５、Ａ１６から構成されている。
【００２０】
また、正極往路配管Ａ４、正極復路配管Ａ５、負極往路配管Ａ６、及び負極復路配管Ａ７は、それぞれバルブＡ１７、Ａ１８、Ａ１９、Ａ２０、Ａ２１、Ａ２２を備えている。さらに、連絡配管Ａ１１、Ａ１２、Ａ１５、Ａ１６は、それぞれバルブＡ２３、Ａ２４、Ａ２５、Ａ２６を備えている。
【００２１】
また、正極電解液タンクＡ１と負極電解液タンクＡ２とは、連絡配管Ａ２７で接続され、連絡配管Ａ２７はバルブＡ２８を備えている。また、Ａ２９は、負極復路配管Ａ７上にある中継点である。
【００２２】
モジュールＢもモジュールＡと同様の構成であり、図１ではモジュールＡのＡ１〜Ａ２９と同様の部分をモジュールＢのＢ１〜Ｂ２９で示してある。なお、モジュールＡ、Ｂ自体は、従来のレドックスフロー電池のモジュールをそのまま利用できる。
【００２３】
モジュールＡとモジュールＢとの間には、外部配管Ｃが配置されている。外部配管Ｃは、正極往路配管Ａ４上にある中継点Ａ９と、負極復路配管Ｂ７上にある中継点Ｂ２９との間に、取り外し可能なモジュール接続配管Ｃ１とを備えている。また、外部配管Ｃは、正極往路配管Ｂ４上にある中継点Ｂ９と、負極復路配管Ａ７上にある中継点Ａ２９との間に、取り外し可能なモジュール接続配管Ｃ２を備えている。さらに、外部配管Ｃは、負極電解液タンクＡ２と負極電解液タンクＢ２との間に取り外し可能なモジュール接続配管Ｃ３を備えている。モジュール接続配管Ｃ１、Ｃ２、Ｃ３は、それぞれバルブＣ４、Ｃ５、Ｃ６、Ｃ７、Ｃ８、Ｃ９を備えている。
【００２４】
図２は、モジュール接続配管Ｃ１の模式図である。モジュール接続配管Ｃ１は短管で形成され、バルブＣ４とＣ５との間にフランジＣ１０とフランジＣ１１とを介して取り外し可能に配置されている。モジュール接続配管Ｃ２及びＣ３もモジュール接続配管Ｃ１と同様に構成されている。
【００２５】
本実施形態のレドックスフロー電池１が外部配管Ｃを備えることにより、モジュールＡ、Ｂ間で一括して電解液の混合が可能となり、容易にレドックスフロー電池１のモジュール間の電解液全体の均一化を図ることができる。また、外部配管Ｃ以外は、従来のレドックスフロー電池が備えてる内部配管及びポンプなどをそのまま利用できるので、効率的である。即ち、モジュール間の電解液を混合するための循環系配管をホースなどで追加構成する必要がない。さらに、モジュール接続配管Ｃ１、Ｃ２、Ｃ３を取り外し可能に構成することにより、レドックスフロー電池１の通常の運転時にはモジュール接続配管Ｃ１、Ｃ２、Ｃ３を容易に取り外しでき、モジュールＡとモジュールＢとの間での循環電流による放電を防止できる。
【００２６】
＜レドックスフロー電池の運転方法の実施の形態＞
図１において、レドックスフロー電池１を通常の状態で充放電する際には、バルブＡ１７、Ａ１８、Ａ１９、Ａ２０、Ａ２１、Ａ２２、及び、Ｂ１７、Ｂ１８、Ｂ１９、Ｂ２０、Ｂ２１、Ｂ２２のみを開け、他のバルブはすべて閉じておく。また、モジュール接続配管Ｃ１、Ｃ２、Ｃ３はすべて取り外しておく。これにより、モジュールＡとモジュールＢとの接続が完全に遮断され、モジュールＡとモジュールＢとの間で循環電流が発生しない。
【００２７】
上記充放電を繰り返した結果、モジュールＡとモジュールＢとの間で電解液のバランスが崩れた場合には、下記のようにして電解液の均一化を行う。
【００２８】
先ず、レドックスフロー電池を放電させて充電深度を下げる。これにより、電解液の混合時における発熱を抑えることができる。この状態では、外部配管Ｃは取り付けられていない。また、バルブＡ１７、Ａ１８、Ａ１９、Ａ２０、Ａ２１、Ａ２２、及び、Ｂ１７、Ｂ１８、Ｂ１９、Ｂ２０、Ｂ２１、Ｂ２２は開いた状態にあり、他のバルブはすべて閉じた状態にある。
【００２９】
次に、バルブＡ２３、Ａ２４、Ａ２５、Ａ２６、及び、バルブＢ２３、Ｂ２４、Ｂ２５、Ｂ２６のみを開き、他のバルブをすべて閉めて、ポンプＡ８ａ、Ａ８ｂ、Ｂ８ａ、Ｂ８ｂを作動させ、モジュールＡ内及びモジュールＢ内で正極電解液と負極電解液とを移動させて混合する。即ち、正極電解液タンクＡ１から負極電解液タンクＡ２への電解液の移動は、正極往路配管Ａ４、連絡配管Ａ１１、負極往路配管Ａ６、連絡配管Ａ１２、負極復路配管Ａ７を通して行い、負極電解液タンクＡ２から正極電解液タンクＡ１への電解液の移動は、負極往路配管Ａ６、連絡配管Ａ１５、正極往路配管Ａ４、連絡配管Ａ１６、正極復路配管Ａ５を通して行う。また、正極電解液タンクＢ１から負極電解液タンクＢ２への電解液の移動は、正極往路配管Ｂ４、連絡配管Ｂ１１、負極往路配管Ｂ６、連絡配管Ｂ１２、負極復路配管Ｂ７を通して行い、負極電解液タンクＢ２から正極電解液タンクＢ１への電解液の移動は、負極往路配管Ｂ６、連絡配管Ｂ１５、正極往路配管Ｂ４、連絡配管Ｂ１６、正極復路配管Ｂ５を通して行う。一定時間電解液を混合した後に、ポンプＡ８ａ、Ａ８ｂ、Ｂ８ａ、Ｂ８ｂを停止させる。以上により、各モジュール内での電解液の混合が終了する。
【００３０】
続いて、外部配管Ｃとしてモジュール接続配管Ｃ１、Ｃ２、Ｃ３を取り付ける。また、バルブＣ４、Ｃ５、Ｃ６、Ｃ７、及び、Ａ１３、Ａ２６、Ｂ２５、Ｂ２６のみを開け、他のバルブはすべて閉じる。なお、この状態を表すために図１では、開いているバルブを白く、閉じているバルブを黒く表示している。
【００３１】
次に、ポンプＡ８ａ、Ａ８ｂ、Ｂ８ａ、Ｂ８ｂを作動させて、正極電解液タンクＡ１から、負極電解液タンクＢ２、正極電解液タンクＢ１、負極電解液タンクＡ２を経由して、正極電解液タンクＡ１へ戻る循環配管を通して、モジュールＡ及びモジュールＢの正極電解液と負極電解液とを移動させて混合する。
【００３２】
即ち、正極電解液タンクＡ１と負極電解液タンクＢ２との間における電解液の移動は、正極往路配管Ａ４、連絡配管Ａ１１、モジュール接続配管Ｃ１、負極復路配管Ｂ７を通して行う。負極電解液タンクＢ２と正極電解液タンクＢ１との間における電解液の移動は、負極往路配管Ｂ６、連絡配管Ｂ１５、Ｂ１６、正極復路配管Ｂ５を通して行う。正極電解液タンクＢ１と負極電解液タンクＡ２との間における電解液の移動は、正極往路配管Ｂ４、連絡配管Ｂ１１、モジュール接続配管Ｃ２、負極復路配管Ａ７を通して行う。負極電解液タンクＡ２と正極電解液タンクＡ１との間における電解液の移動は、負極往路配管Ａ６、連絡配管Ａ１５、Ａ１６、正極復路配管Ａ５を通して行う。
【００３３】
一定時間電解液を循環混合した後、ポンプＡ８ａ、Ａ８ｂ、Ｂ８ａ、Ｂ８ｂを停止させ、バルブＡ２８、Ｃ８、Ｃ９、Ｂ２８を開けて正極電解液タンクＡ１、Ｂ１内の正極電解液及び負極電解液タンクＡ２、Ｂ２内の負極電解液のすべての液面を均一化する。その後、再度バルブＡ２８、Ｃ８、Ｃ９、Ｂ２８を閉じる。以上により、モジュール間での電解液の混合が終了する。
【００３４】
最後に、バルブＡ１７、Ａ１８、Ａ１９、Ａ２０、Ａ２１、Ａ２２、及び、Ｂ１７、Ｂ１８、Ｂ１９、Ｂ２０、Ｂ２１、Ｂ２２のみを開け、他のバルブはすべて閉じた状態でモジュール接続配管Ｃ１、Ｃ２、Ｃ３を取り外した後、通常の充放電を行う。
【００３５】
本実施形態では、簡単な操作でモジュールＡとモジュールＢとの電解液の均一化を短時間で行うことができる。また、本実施形態では、モジュール間での電解液の混合に先立って、モジュール内での電解液の混合を行ったが、モジュール内での電解液の混合は省略することができる。さらに、本実施形態では２つのモジュールを用いたが、３つ以上のモジュールを組み合わせたものであってもよい。
【産業上の利用可能性】
【００３６】
以上のように本発明は、従来は困難であったモジュール間の電解液の混合を可能にして、容易にモジュール間の電解液の均一化を図ることができ、レドックスフロー電池の運用の効率化を図ることができる。
【図面の簡単な説明】
【００３７】
【図１】本発明のレドックスフロー電池の配管の一例を示す概略図である。
【図２】図１のモジュール接続配管Ｃ１の模式図である。
【図３】従来のバナジウムレドックスフロー電池の概要図である。
【符号の説明】
【００３８】
１、３１  レドックスフロー電池
Ａ１、Ｂ１、３３  正極電解液タンク
Ａ２、Ｂ２、３４  負極電解液タンク
Ａ３、Ｂ３、３２  電池セル
Ａ４、Ｂ４、３８  正極往路配管
Ａ５、Ｂ５、３９  正極復路配管
Ａ６、Ｂ６、４０  負極往路配管
Ａ７、Ｂ７、４１  負極復路配管
Ａ８ａ、Ａ８ｂ、Ｂ８ａ、Ｂ８ｂ、４２、４３  ポンプ
Ａ９、Ａ１０、Ａ１３、Ａ１４、Ａ２９  中継点
Ｂ９、Ｂ１０、Ｂ１３、Ｂ１４、Ｂ２９  中継点
Ａ１１、Ａ１２、Ａ１５、Ａ１６、Ａ２７  連絡配管
Ｂ１１、Ｂ１２、Ｂ１５、Ｂ１６、Ｂ２７  連絡配管
Ａ１７、Ａ１８、Ａ１９、Ａ２０、Ａ２１、Ａ２２、Ａ２３、Ａ２４、Ａ２５、Ａ２６、Ａ２８、Ｂ１７、Ｂ１８、Ｂ１９、Ｂ２０、Ｂ２１、Ｂ２２、Ｂ２３、Ｂ２４、Ｂ２５、Ｂ２６、Ｂ２８、Ｃ４、Ｃ５、Ｃ６、Ｃ７、Ｃ８、Ｃ９  バルブ
Ｃ１、Ｃ２、Ｃ３  モジュール接続配管
Ｃ１０、Ｃ１１  フランジ
３５  隔壁
３６  正極
３７  負極
【図１】
2006073471.tif 000003
【図２】
2006073471.tif 000004
【図３】
2006073471.tif 000005